(57)【要約】【課題】データの送信中に他の経路に切り替えられた場合、すでに送信されたデータはそのまま保持し、残りのデータを他の経路で送信するサイネージシステムを得ること。【解決手段】広告のコンテンツデータを作成し、コンテンツデータを表示する表示装置を宛先として、コンテンツデータを分割した複数の送信データを直接送信する又は宛先が異なる表示装置を経由して送信する配信ルートを複数保持し、第１の配信ルートで送信データを送信し、宛先の表示装置から送信される送信データに対する送達確認の受信状況に基づいて、第２の配信ルートで送信データを再送する配信管理サーバ装置と、配信管理サーバ装置及び他の表示装置と無線通信を介して接続し、自装置宛以外の送信データを中継するとともに、送信データを受信すると送達確認を配信管理サーバ装置に送信し、複数の自装置宛の送信データから合成したコンテンツデータを表示する複数の表示装置と、を備えた。【選択図】          図１
2014150480.tif 000002
【特許請求の範囲】
【請求項１】
画像、動画、文字及び音声のうち１以上のデータから成る広告のコンテンツデータを作成するコンテンツ作成機能部と、
前記コンテンツデータを表示する表示装置を宛先として、前記コンテンツデータを分割した複数の送信データを直接送信するまたは宛先が異なる表示装置を経由して送信する配信ルートを複数保持する配信ルート管理機能部と、
第１の配信ルートで前記送信データを送信し、宛先の表示装置から送信される前記送信データに対する送達確認の受信状況に基づいて、再送する前記送信データを決定し、第２の配信ルートで送信する無線通信機能部と、
を備える配信管理サーバ装置と、
前記配信管理サーバ装置及び他の表示装置と無線通信を介して接続し、自装置宛以外の前記送信データを中継するとともに、前記送信データを受信すると前記送達確認を前記配信管理サーバ装置に送信する無線通信機能部と、
複数の自装置宛の前記送信データから合成した前記コンテンツデータを表示する表示機能部と、
を備える複数の表示装置と、
を備えることを特徴とするサイネージシステム。
【請求項２】
前記表示装置の無線通信機能部は、自装置宛以外の前記送信データを中継するとともに前記送達確認を前記配信管理サーバ装置に送信し、
前記配信管理サーバ装置は、前記送達確認の受信状況に基づいて、再送する前記送信データを決定し、第２の配信ルートで送信することを特徴とする請求項１に記載のサイネージシステム。
【請求項３】
前記配信管理サーバ装置の配信ルート管理機能部は、複数の配信ルートに優先順位を付与し、優先順位に基づいて第１の配信ルート又は第２の配信ルートを選択することを特徴とする請求項１又は２に記載のサイネージシステム。
【請求項４】
前記配信管理サーバ装置は、
前記コンテンツデータを宛先の表示装置で表示するスケジュール情報が入力され、保持するスケジューラ機能部と、
前記コンテンツデータと複数の前記配信ルートと前記スケジュール情報とを入力され、前記コンテンツデータと前記スケジュール情報とをあわせて分割した送信データを、第１の配信ルートで宛先の表示装置に送信し、前記送達確認の受信状況に基づいて、再送する前記送信データを決定し、第２の配信ルートで再送する無線通信機能部と、
を備えることを特徴とする請求項１から３のいずれかに記載のサイネージシステム。
【請求項５】
前記表示装置は、
自装置宛の複数の前記送信データを合成し、前記コンテンツデータと前記スケジュール情報とを取り出し、出力する無線通信機能部と、
前記スケジュール情報で指示されたスケジュールで前記コンテンツデータを表示する表示機能部と、
を備えることを特徴とする請求項１から４のいずれかに記載のサイネージシステム。
【請求項６】
画像、動画、文字及び音声のうち１以上のデータから成る広告のコンテンツデータを作成するコンテンツ作成機能部と、
前記コンテンツデータを表示する表示装置を宛先として、前記コンテンツデータを分割した複数の送信データを直接送信するまたは宛先が異なる表示装置を経由して送信する配信ルートを複数保持する配信ルート管理機能部と、
第１の配信ルートで前記送信データを送信し、宛先の表示装置から送信される前記送信データに対する送達確認の受信状況に基づいて、再送する前記送信データを決定し、第２の配信ルートで送信する無線通信機能部と、
を備える配信管理サーバ装置。
【請求項７】
配信管理サーバ装置及び他の表示装置と無線通信を介して接続し、自装置宛以外のコンテンツデータを分割した送信データを中継するとともに、前記送信データを受信すると送達確認を前記配信管理サーバ装置に送信する無線通信機能部と、
複数の自装置宛の前記送信データから合成した前記コンテンツデータを表示する表示機能部と、
を備える表示装置。
【発明の詳細な説明】
【技術分野】
【０００１】
無線通信によるサイネージシステムに関する。
【背景技術】
【０００２】
マルチホップ通信では、端末同士が直接通信するだけでなく、送信元の端末から他の端末を経由して、送信先の端末への通信を行う。無線通信では、一般的に送信距離が長くなると大きな電力が必要となる。送信元から宛先までの送信距離が長くてもマルチホップ通信では他の端末を経由するため、個々の端末間の距離は短く、低い電力で送信できる。また、電波伝搬状況に応じて異なる経路に切り替えることにより、通信の成功する確率が高まる。
【０００３】
従来の無線マルチホップ通信システムでは、送信先の端末への第１の経路に対する冗長経路として、あらかじめ第２の経路を設定しておく。送信元の端末は、第１の経路でデータを送信するときに第２の経路で少ビットを送信し、その返信を受信することにより第２の経路で通信可能かどうか確認しておく。第１の経路の電波伝搬状況が悪化して通信できない場合は、第２の経路に切り替えて送信する。直前の通信にて通信可能と判断された第２の経路は、通信可能である確率が高く、通信が成功する確率が高い。（下記特許文献１参照）
【先行技術文献】
【特許文献】
【０００４】
【特許文献１】特開２００８−２７６３２０号公報
【発明の概要】
【発明が解決しようとする課題】
【０００５】
しかしながら、特許文献１では、第１の経路で通信を開始した後に電波伝搬状況が悪化して通信できなくなり、第２の経路に切り替えた場合、第２の経路で再度初めからデータを送信するため、データの送信に時間がかかる。また、第１の経路で途中まで送信したデータは破棄されるため、第１の経路で途中までデータを送信したときの電力は無駄となる。
【０００６】
本発明は上記のような問題点を解決するためになされたもので、データの送信中に他の経路に切り替えられた場合、すでに送信されたデータはそのまま保持し、残りのデータを他の経路で送信するサイネージシステムを得ることを目的としている。
【課題を解決するための手段】
【０００７】
画像、動画、文字及び音声のうち１以上のデータから成る広告のコンテンツデータを作成するコンテンツ作成機能部と、コンテンツデータを表示する表示装置を宛先として、コンテンツデータを分割した複数の送信データを直接送信するまたは宛先が異なる表示装置を経由して送信する配信ルートを複数保持する配信ルート管理機能部と、第１の配信ルートで送信データを送信し、宛先の表示装置から送信される送信データに対する送達確認の受信状況に基づいて、再送する送信データを決定し、第２の配信ルートで送信する無線通信機能部と、を備える配信管理サーバ装置と、配信管理サーバ装置及び他の表示装置と無線通信を介して接続し、自装置宛以外の送信データを中継するとともに、送信データを受信すると送達確認を配信管理サーバ装置に送信する無線通信機能部と、複数の自装置宛の送信データから合成したコンテンツデータを表示する表示機能部と、を備える複数の表示装置と、を備えた。
【発明の効果】
【０００８】
本発明によれば、コンテンツデータの配信にかかる時間を短縮することができる。また、電力の消費を抑制することができる。
【図面の簡単な説明】
【０００９】
【図１】実施の形態１に係るサイネージシステムの構成を示すブロック図。
【図２】実施の形態１に係る配信管理サーバの構成を示すブロック図。
【図３】実施の形態１に係るコンテンツの例を示す図。
【図４】実施の形態１に係るスケジュール情報の例を示す図。
【図５】実施の形態１に係る配信ルート情報テーブルを示す図。
【図６】実施の形態１に係る送信データの例を示すブロック図。
【図７】実施の形態１に係る表示装置の構成を示すブロック図。
【図８】実施の形態１に係る送達確認の例を示す図。
【図９】実施の形態１に係る表示装置における処理の流れを示すフローチャート。
【図１０】実施の形態１に係る配信ステータスを示す図。
【図１１】実施の形態１に係る別ルート情報テーブルを示す図。
【発明を実施するための形態】
【００１０】
実施の形態１．
図１は、実施の形態１に係るサイネージシステムの構成を示すブロック図である。サイネージシステム１０は、配信管理サーバ１１、配信管理サーバ１１に接続するモニタ１２、及び複数の表示装置１３ａ〜ｇから構成されている。サイネージシステム１０において、表示装置１３ａ〜ｇは７個としたが、特に限定しない。点線の矢印は無線通信による経路を示す。
【００１１】
配信管理サーバ１１は、画像、動画、文字及び音声のうち任意の１以上データから成る広告のコンテンツデータを作成する。また、配信管理サーバ１１は、指定された日時に、指定された表示装置に指定された経路で広告のコンテンツデータを配信する。モニタ１２は配信管理サーバ１１が保持している広告のコンテンツデータ及び管理状況を表示する。表示装置１３ａ〜ｇは、配信管理サーバ１１から直接、又は他の表示装置１３ａ〜ｇを経由して広告のコンテンツデータを受信する。表示装置１３ａ〜ｇは、受信した広告のコンテンツデータを指定された期間、表示する。
【００１２】
配信管理サーバ１１は、隣接する表示装置１３ａ、１３ｄには直接広告のコンテンツデータを配信する。配信管理サーバ１１は、表示装置１３ａを経由して表示装置１３ｂに広告のコンテンツデータを配信する。配信管理サーバ１１は、表示装置１３ａ、１３ｂを経由して表示装置１３ｃに広告のコンテンツデータを配信する。配信管理サーバ１１は、表示装置１３ａ、１３ｂを経由して表示装置１３ｃに広告のコンテンツデータを配信する。
【００１３】
配信管理サーバ１１は、表示装置１３ｄを経由して表示装置１３ｅに広告のコンテンツデータを配信する。配信管理サーバ１１は、表示装置１３ｄを経由して表示装置１３ｆに広告のコンテンツデータを配信する。配信管理サーバ１１は、表示装置１３ｄ、１３ｅを経由して表示装置１３ｇに広告のコンテンツデータを配信する。配信管理サーバ１１と表示装置１３ａ〜ｇは定期的に同期をとり、時刻を合わせるものとする。
【００１４】
図２は、実施の形態１に係る配信管理サーバ１１の構成を示すブロック図である。配信管理サーバ１１は、コンテンツ作成機能部２１、素材データ保存部２２、表示機能部２３、Ｗｅｂサーバ機能部２４、スケジューラ機能部２５、無線通信機能部２６、及び配信ルート管理機能部２７から構成される。スケジューラ機能部２５には、スケジュール情報が入力される。また、配信ルート管理機能部２７には、配信ルートに関する情報が入力される。
【００１５】
コンテンツ作成機能部２１は、素材データ保存部２２に保存されている素材データを使用してコンテンツを作成し、表示機能部２３に出力する。表示機能部２３は、作成されたコンテンツをモニタ１２に出力する。コンテンツ作成機能部２１は、作成したコンテンツをＷｅｂサーバ機能部２４に出力する。Ｗｅｂサーバ機能部２４は、コンテンツを配信するスケジュールをスケジューラ機能部２５に問い合わせる。スケジューラ機能部２５は、コンテンツを配信するスケジュール情報が入力され、保持している。スケジューラ機能部２５は、Ｗｅｂサーバ機能部２４からの要求に応じて、スケジュール情報を出力する。
【００１６】
Ｗｅｂサーバ機能部２４はコンテンツをスケジュール情報とともに無線通信機能部２６に出力する。Ｗｅｂサーバ機能部２４は、配信ルート管理機能部２７に宛先の表示装置までの配信ルートを問い合わせる。配信ルート管理機能部２７は、各表示装置までの配信ルート情報を入力され、保持している。配信ルート管理機能部２７は、Ｗｅｂサーバ機能部２４に配信ルート情報を出力する。無線通信機能部２６は、コンテンツをＷｅｂサーバ機能部２４に指定された配信スケジュール、及び指定された配信ルートで配信する。
【００１７】
次に、コンテンツの作成について説明する。素材データ保存部２２は、画像、動画、文字、及び音声等、コンテンツ作成に利用する素材データやレイアウト構成を保存している。素材データ保存部２２は配信管理サーバ１１の外部装置として設けてもよいし、配信管理サーバ１１の内部と外部の両方に設けてもよい。
【００１８】
ユーザは、コンテンツ作成機能部２１にアクセスし、コンテンツを作成する。ユーザは、素材データ保存部２２に保存されているレイアウト構成を選択した後、素材データを選択する。レイアウト構成や素材データの選択は、ドラッグアンドドロップの操作やファイル名を指定して行う。ユーザは、どの位置にどの素材データを配置するかを決め、コンテンツを作成し、保存する。
【００１９】
コンテンツ作成機能部２１は作成されたコンテンツを表示機能部２３に出力する。表示機能部２３は作成されたコンテンツをモニタ１２に出力する。モニタ１２に出力されたコンテンツにより、ユーザは全体のレイアウトを確認する。コンテンツが音声を含む場合、ユーザは音声も確認する。コンテンツの修正が必要であれば、ユーザは素材データ保存部２２から素材データを選択し、コンテンツに追加する。あるいは、ユーザはコンテンツから素材データを削除する。コンテンツ作成機能部２１は修正されたコンテンツを表示機能部２３からモニタ１２に出力する。ユーザは再度モニタ１２で全体のレイアウトを確認する。
【００２０】
図３は、実施の形態１に係るコンテンツを示す例である。コンテンツ３１は、文字「リゾート旅行」と画像が組み合わされたコンテンツである。
なお、ユーザが素材データ保存部２２から素材データを選択してコンテンツを作成する方法を示したが、ユーザが自由にコンテンツを作成してもよい。コンテンツ作成機能部２１は、コンテンツをマークアップ言語やスクリプト言語で記述されたコンテンツデータとして保存し、Ｗｅｂサーバ機能部２４に出力する。
【００２１】
次に、スケジューラ機能部２５について説明する。ユーザは、作成したコンテンツのスケジュール情報をスケジューラ機能部２５に入力する。スケジュール情報は、コンテンツを配信する配信日時、コンテンツの表示を開始する開始日時、及びコンテンツの表示を終了する終了日時から構成される。スケジューラ機能部２５は、スケジュール情報をマークアップ言語やスクリプト言語等で記述して保存し、Ｗｅｂサーバ機能部２４に出力する。また、スケジューラ機能部２５は、入力されたスケジュール情報をモニタ１２に出力し、ユーザは目視でスケジュールを確認する。
【００２２】
図４は、実施の形態１に係るスケジュール情報の例を示す図である。４１は年月日を示す。４２は時間を表し、左から右へ時間が進む。４３ａは、時間「０：００」、４３ｂは時間「２４：００」を示す。４４は配信時間を示し、４３ｃが時間「８：５０」を示す。４５はコンテンツを表示する時間を示し、４３ｄは開始時間「９：００」、４３ｅは終了時間「１２：００」を示す。なお、コンテンツは複数日に渡って表示するようにしてもよい。なお、スケジュール情報の表示は一例であって、他の方法で表示してもよい。
【００２３】
次に、配信ルート管理機能部２７について説明する。ユーザは、配信ルートに関する情報として、表示装置１３ａ〜ｇとそのＩＰアドレス、及び表示装置１３ａ〜ｇへの配信ルートを配信ルート管理機能部２７に入力する。配信ルート管理機能部２７は、表示装置１３ａ〜ｇとＩＰアドレスとを対応付け、アドレス情報として保存する。また、配信ルート管理機能部２７は、表示装置１３ａ〜ｇと配信ルートを対応付け、配信ルート情報として配信ルート情報テーブルに保存する。配信ルート管理機能部２７は、アドレス情報と配信ルート情報を、Ｗｅｂサーバ機能部２４に出力する。なお、配信ルート管理機能部２７は、配信ルート情報をマークアップ言語やスクリプト言語等で記述して保存する。
【００２４】
図５は、実施の形態１に係る配信ルート情報テーブル５１を示す図である。配信ルート情報テーブル５１には、宛先と配信ルートが対応付けて保存されている。５２は宛先の表示装置を示す項目である。５３は宛先の表示装置までの配信ルートを示す項目である。５４ａ〜ｇは各表示装置への配信ルート情報であり、宛先と配信ルートが対応付けられている。例えば、配信ルート情報５４ｂは、宛先が表示装置１３ｂ、配信ルートが表示装置１３ａを経由して表示装置１３ｂに配信することを示している。
【００２５】
配信ルート情報テーブル５１は、１つの宛先に対して配信ルートとして１つ保持する例を示したが、複数の配信ルートを保持するようにしてもよい。また、配信ルート管理機能部２７は、複数の配信ルートに優先順位を設け、優先順位に従って、配信ルートを選択するようにしてもよい。
【００２６】
次に、コンテンツデータの配信について説明する。
Ｗｅｂサーバ機能部２４には、コンテンツ作成機能部２１からコンテンツ、スケジューラ機能部２５からスケジュール情報、配信ルート管理機能部２７からアドレス情報及び配信ルート情報５４ａ〜ｇが入力される。Ｗｅｂサーバ機能部２４は、スケジュール情報で指定された配信時間に、配信ルート情報で指定された配信ルートでコンテンツデータ及びスケジュール情報を送信するように無線通信機能部２６に指示する。
【００２７】
無線通信機能部２６は、配信データを複数に分割して圧縮し、分割や配信ルートに関する情報を付与した送信データを生成し、送信する。配信データの分割は、無線通信機能部２６に設定されるデータサイズや分割数に分割する。なお、配信データの容量が小さい場合は、分割せずに送信してもよい。
【００２８】
図６は、実施の形態１に係る送信データ６１の例を示す図である。６２ａ〜ｋは、経由する表示装置のＩＰアドレスを示す経由ＩＰアドレスである。６３は、送信データ６１の送信元を示す送信元ＩＰアドレスである。配信管理サーバ１１から送信データを送信するため、送信元ＩＰアドレスは配信管理サーバ１１のＩＰアドレスとなる。６４は、配信先の表示装置を示す宛先ＩＰアドレスである。６５は、複数の配信データを識別するためのデータ番号である。６６は、分割した配信データの順番を示す分割番号である。６７は、分割して圧縮された配信データである。
【００２９】
図７は、実施の形態１に係る表示装置１３の構成を示すブロック図である。表示装置１３ａ〜ｇは、無線通信機能部７１、クライアント機能部７２及び表示機能部７３から構成される。表示装置１３はコンテンツデータを出力するモニタと接続している。
【００３０】
無線通信機能部７１は、配信管理サーバ１１からコンテンツデータを含む送信データ６１を受信する。無線通信機能部７１は、送信データ６１を受信したことを配信管理サーバ１１に通知する送達確認を生成し、送信する。また、無線通信機能部７１は、送信データ６１の宛先ＩＰアドレスが自装置でなければ、他の表示装置へ転送する。無線通信機能部７１は、送信データ６１の宛先ＩＰアドレスが自装置であれば、同一の配信データとなる送信データ６１をすべて受信すると、解凍及び合成し、元の配信データを生成する。無線通信機能部７１は、配信データからコンテンツデータとスケジュール情報を取り出し、クライアント機能部７２に出力する。
【００３１】
クライアント機能部７２は、スケジュール情報で指示されたスケジュールでコンテンツデータを表示機能部７３に出力する。表示機能部７３は、コンテンツデータをモニタに出力する。なお、表示装置１３はモニタを内蔵する構成でもよい。
【００３２】
図８は、実施の形態１に係る送達確認８１の例を示す図である。送達確認８１は、送信データ６１を受信した表示装置が送信データ６１を受信したことを送信元に通知する制御信号である。８２ａ〜ｋは、経由する表示装置のＩＰアドレスを示す経由ＩＰアドレスである。８３は、送達確認８１を送信する表示装置を示す送信元ＩＰアドレスである。８４は、宛先ＩＰアドレスで、配信管理サーバ１１である。８５は、複数の配信データを識別するためのデータ番号である。８６は、分割した配信データの順番を示す分割番号である。配信管理サーバ１１は、データ番号、分割番号によって、どの送信データ６１に対する送達確認であるかを認識することができる。
【００３３】
次に、動作について説明する。
配信管理サーバ１１から表示装置１３ｄを経由して表示装置１３ｆに配信データを配信する例を用いて説明する。配信データは４個の送信データに分割されるとする。
【００３４】
配信管理サーバ１１は、配信ルート情報を参照し、１番目の送信データから表示装置１３ｄに送信する。配信管理サーバ１１は、１番目の送信データの経由ＩＰアドレスに表示装置１３ｄのＩＰアドレス、送信元ＩＰアドレスに配信管理サーバ１１のＩＰアドレス、宛先ＩＰアドレスに表示装置１３ｆのＩＰアドレス、データ番号に任意の番号、分割番号に１を設定する。配信管理サーバ１１は、経由ＩＰアドレスとして表示装置１３ｄが設定されているため、表示装置１３ｄ宛に１番目の送信データを送信する。
【００３５】
配信管理サーバ１１は、２〜４番目の送信データの経由ＩＰアドレス、送信元ＩＰアドレス、及び宛先ＩＰアドレス、データ番号も１番目の送信データと同様に設定する。分割番号は、２〜４番目の送信データにそれぞれ２〜４の値を設定し、表示装置１３ｄに送信する。
【００３６】
図９は、実施の形態１に係る表示装置における処理の流れを示すフローチャートである。
表示装置１３ｄは送信データを受信するとステップＳ９１より処理を開始する。ステップＳ９１において、表示装置１３ｄは送信データに対する送達確認を生成する。
表示装置１３ｄは、送信データを参照し、宛先として配信管理サーバ１１を設定する。また、表示装置１３ｄは、送信データを参照し、送達確認が送信データの配信ルートとは逆のルートで配信管理サーバ１１に送信されるように経由ＩＰアドレスを設定する。
表示装置１３ｄは、生成された送信データに対する送達確認を配信管理サーバ１１に送信し、ステップＳ９２へ進む。
【００３７】
ステップＳ９２において、表示装置１３ｄは、宛先ＩＰアドレスを参照する。宛先ＩＰアドレスが表示装置１３ｄのＩＰアドレスと一致しないため、ステップＳ９３へ進む。ステップＳ９３において、表示装置１３ｄは経由ＩＰアドレスを参照する。次の経由ＩＰアドレスがあれば、処理はステップＳ９４へ進み、次の経由ＩＰアドレスに送信データを送信し、処理を終了する。ここでは、経由ＩＰアドレスは表示装置１３ｄのみで、次の経由ＩＰアドレスがないため、処理はステップＳ９５へ進む。ステップＳ９５において、表示装置１３ｄは宛先ＩＰアドレスに設定されている表示装置１３ｆに送信データを送信し、処理を終了する。
【００３８】
表示装置１３ｆは送信データを受信すると図９のステップＳ９１より処理を開始する。
ステップＳ９１において、表示装置１３ｆは送信データに対する送達確認を生成する。表示装置１３ｆは、送信データを参照し、宛先として配信管理サーバ１１を設定する。また、表示装置１３ｆは、送信データを参照し、送達確認が送信データの配信ルートとは逆のルートで配信管理サーバ１１に送信されるように経由ＩＰアドレスを設定する。表示装置１３ｆは、送達確認を送信し、ステップＳ９２へ進む。
【００３９】
ステップＳ９２において、表示装置１３ｆは、宛先ＩＰアドレスを参照する。宛先ＩＰアドレスが表示装置１３ｆのＩＰアドレスと一致するため、ステップＳ９６へ進む。ステップＳ９６において、表示装置１３ｆは分割された配信データを全て受信していない場合、処理を終了する。表示装置１３ｆは分割された配信データを全て受信した場合、分割された配信データを解凍、合成し、元の配信データを生成する。また、表示装置１３ｆは、スケジュール情報で指示されたスケジュールでコンテンツデータを出力し、処理を終了する。
【００４０】
配信管理サーバ１１は、表示装置への配信がどの程度完了しているかを示す配信ステータス情報をモニタ１２に出力する。配信ステータス情報は、経由する表示装置ごとの状態を示すようにしてもよいし、宛先の表示装置における状態のみを示すようにしてもよい。
【００４１】
図１０は、実施の形態１に係る配信ステータス情報を示す図である。図１０は、配信管理サーバ１１が表示装置１３ｄを経由して表示装置１３ｆに配信データを配信する場合の例である。１０１ａ〜ｂは、送信元の装置を示す。１０２ａ〜ｂは、送信先の装置を示す。１０３ａ〜ｂは、配信ステータスをパーセント表示で示すバーである。左端が０％、右端が１００％を示す。１０３ａの網掛けした部分は、配信データが配信管理サーバ１１から表示装置１３ｄまで送信された割合を示し、７５％送信されたことを示している。１０３ｂの網掛けした部分は、配信データが表示装置１３ｄから表示装置１３ｆまで送信された割合を示し、５０％送信されたことを示している。
【００４２】
無線通信機能部２６は、配信データの分割数に対する送達確認を受信した個数の割合を配信ステータス情報として表示機能部２３に出力する。表示機能部２３は、配信ステータス情報をモニタ１２に出力し、モニタ１２が配信ステータス情報を表示する。例えば、配信データが４個に分割され、無線通信機能部２６が表示装置１３ｄから３個の送達確認を受信した場合、配信ステータス情報は７５％と表示される。なお、配信ステータス情報は、割合ではなく、分割数に対して送達確認を受信した個数で表示してもよい。配信ステータス情報が表示されることにより、ユーザは配信ルートの途中の配信ステータスも把握することができる。
【００４３】
次に送信エラーが生じた場合について説明する。
無線通信では、電波伝搬状況の変化により、通信できなくなることがある。そこで、配信ルート管理機能部２７は、１つの配信先に対して複数の配信ルートの情報を保持し、無線通信機能部２６は、当初の配信ルートである第１の配信ルートとは異なる第２の配信ルートで配信する。
【００４４】
図１１は、実施の形態１に係る別ルート情報テーブル１１１を示す図である。１１２は、第１の配信ルートとなるルートを示す項目である。１１３は、第２の配信ルートとなる別ルートを示す項目である。１１４ａ〜ｃは、別ルート情報である。例えば、別ルート情報１１４ａは、配信管理サーバ１１から表示装置１３ａのルートに対して、別ルートとして、配信管理サーバ１１から表示装置１３ｄを経由して表示装置１３ａに配信するルートを示している。
【００４５】
別ルート情報テーブル１１１は、１つのルートに対して別ルートとして１つ保持する例を示したが、複数の別ルートを保持するようにしてもよい。また、複数の別ルートに優先順位を設け、優先順位に従って、別ルートを選択するようにしてもよい。別ルート情報テーブル１１１の作成は、ユーザが作成して配信ルート管理機能部２７に入力する。
【００４６】
また、別ルート情報テーブル１１１は、２つの装置間のルートに対して別ルートを対応付けたが、送信元から宛先までのルートに対して別ルートを対応付けて保持するようにしてもよい。
【００４７】
無線通信機能部２６は、配信データを分割、圧縮して送信データとして送信するとタイマを起動する。タイマ満了までに送信データに対する送達確認を受信できない場合、別ルートで送信データを再送する。無線通信機能部２６は、現在の配信ルートのうち最も配信ステータスが低いルートの状態にあわせ、送信データを再送する。
【００４８】
配信管理サーバ１１が表示装置１３ｆに配信データを４個に分割して送信する場合を例に説明する。無線通信機能部２６は、配信ルート情報テーブル５１の配信ルート情報５４ｆを参照し、表示装置１３ｄを経由して表示装置１３ｆに配信データを配信する。無線通信機能部２６は、表示装置１３ｄから３個の送達確認を受信し、配信ステータスは７５％とする。また、無線通信機能部２６は、表示装置１３ｆから２個の送達確認を受信し、配信ステータスは５０％とする。無線通信機能部２６は、表示装置１３ｄから４個目の送信データに対する送達確認を受信できず、タイマ満了したとする。
【００４９】
現在の配信ルートのうち最も配信ステータスが低いのは、表示装置１３ｄから表示装置１３ｆの５０％である。無線通信機能部２６は、表示装置１３ｆから、３個目以降の送信データに対する送達確認を受信していない。そこで、無線通信機能部２６は、３個目以降の送信データを別ルートで再送する。
【００５０】
無線通信機能部２６は、Ｗｅｂサーバ機能部２４を介して配信ルート管理機能部２７に配信管理サーバ１１から表示装置１３ｄの別ルートを問い合わせる。配信ルート管理機能部２７は、別ルート情報テーブル１１１を参照し、Ｗｅｂサーバ機能部２４を介して無線通信機能部２６に別ルート情報１１４ｂを通知する。配信管理サーバ１１から表示装置１３ｄへのルートに対する別ルートは、配信管理サーバ１１から表示装置１３ａを経由して表示装置１３ｄへ到達するルートである。したがって、配信ルートは、表示装置１３ａ及び表示装置１３ｄを経由して表示装置１３ｆに配信するルートとなる。無線通信機能部２６は、経由ＩＰアドレスとして、表示装置１３ａ及び表示装置１３ｄのＩＰアドレスを設定し、３個目以降の送信データを送信する。
【００５１】
無線通信機能部２６が送信データを再送するとき、タイマ満了したルートの配信ステータスの状態にあわせるのではなく、現在の配信ルートのうち最も配信ステータスが低いルートの状態にあわせるのは、タイマ満了したルートの影響を受けて他のルートでもタイマ満了し、再度再送が発生することを未然に防ぐためである。しかし、無線通信機能部２６はタイマ満了したルートの配信ステータスの状態にあわせて再送するデータを決めてもよい。
【００５２】
本実施の形態において、配信ルート情報テーブル５１及び別ルート情報テーブル１１１はユーザが入力するとしたが、配信ルート管理機能部２７が作成するようにしてもよい。この場合、配信ルート管理機能部２７は無線通信機能部２６に通信可能な装置を検索するように指示する。無線通信機能部２６は、通信可能な装置を検索するとともに、表示装置１３ａ〜ｇに通信可能な装置を検索するように指示する。表示装置１３ａ〜ｇから検索結果が通知されると、無線通信機能部２６は配信ルート管理機能部２７に無線通信機能部２６における検索結果とともに結果を通知する。
【００５３】
配信ルート管理機能部２７は検索結果に基づいて、配信ルート情報テーブル５１及び別ルート情報テーブル１１１を作成する。なお、配信管理サーバ１１及び表示装置１３ａ〜ｇが通信可能な装置を検索する場合、電源オンやリセット時に検索する他、定期的に検索するようにしてもよい。なお、表示装置１３ａ〜ｇにおいては、無線通信機能部６１が検索を実施する。
【００５４】
また、本実施の形態において、１つの配信データにコンテンツデータとスケジュール情報を含むようにしたが、コンテンツデータとスケジュール情報を異なる配信データとしてもよい。
【００５５】
また、本実施の形態において、配信管理サーバ１１はＷｅｂサーバ通信機能を保持するＰｅｒｓｏｎａｌ  Ｃｏｍｐｕｔｅｒ（以下、ＰＣと称す）で実現する。また、配信管理サーバ１１とモニタ１２を異なる装置としたが、統合した形でもよい。配信管理サーバ１１およびモニタ１２を統合した場合、ＣＰＵ（Ｃｅｎｔｒａｌ  Ｐｒｏｃｅｓｓｉｎｇ  Ｕｎｉｔ）などが搭載されたＰＣ機能を有する一体型の据え置きモニタや、タブレットタイプのＰＣで実現してもよい。
【００５６】
さらに、コンテンツ作成機能部２１及びスケジューラ機能部２５は、コンテンツデータ及びスケジュール情報をＵＳＢ（Ｕｎｉｖｅｒｓａｌ  Ｓｅｒｉａｌ  Ｂｕｓ）メモリやＳＤカード等の外部記憶装置に保存してもよい。また、無線通信機能部２６をデータ通信カード等で実現してもよい。
【００５７】
したがって、本実施の形態では、画像、動画、文字及び音声のうち１以上のデータから成る広告のコンテンツデータを作成するコンテンツ作成機能部２１と、コンテンツデータを表示する表示装置を宛先として、コンテンツデータを分割した複数の送信データを直接送信するまたは宛先が異なる表示装置を経由して送信する配信ルートを複数保持する配信ルート管理機能部２７と、第１の配信ルートで送信データを送信し、宛先の表示装置から送信される送信データに対する送達確認の受信状況に基づいて、再送する送信データを決定し、第２の配信ルートで送信する無線通信機能部２６と、を備える配信管理サーバ装置１１と、配信管理サーバ装置１１及び他の表示装置と無線通信を介して接続し、自装置宛以外の送信データを中継するとともに、自装置宛の送信データを受信すると送達確認を配信管理サーバ装置１１に送信する無線通信機能部７１と、複数の自装置宛の送信データから合成したコンテンツデータを表示する表示機能部７３と、を備えているので、コンテンツデータの配信にかかる時間を短縮することができる。また、配信管理サーバ１１及び表示装置１３ａ〜ｇの電力の消費を抑制することができる。
【符号の説明】
【００５８】
１１  配信管理サーバ
１２  モニタ
１３ａ〜ｇ  表示装置
２１  コンテンツ作成機能部
２２  素材データ保存部
２３  表示機能部
２４  Ｗｅｂサーバ機能部
２５  スケジューラ機能部
２６  無線通信機能部
２７  配信ルート管理機能部
３１  コンテンツデータ
４１  年月日
４２、４３ａ〜ｅ  時間
４４  配信時間
４５  表示時間
５１  配信ルート情報テーブル
５２  宛先
５３  配信ルート
５４ａ〜ｇ  配信ルート情報
６１  送信データ
６２ａ〜ｋ、８２ａ〜ｋ  経由ＩＰアドレス
６３、８３  送信元ＩＰアドレス
６４、８４  宛先ＩＰアドレス
６５、８５  データ番号
６６、８６  分割番号
６７  配信データ＃ｉ
７９  配信データ
７１  無線通信機能部
７２  クライアント機能部
７３  表示機能部
８１  送達確認
１０１ａ〜ｂ  送信元装置
１０２ａ〜ｂ  宛先装置
１０３ａ〜ｂ  配信ステータス
１１１  別ルート情報テーブル
１１２  ルート
１１３  別ルート
１１４ａ〜ｃ  別ルート情報
【図１】
2014150480.tif 000003
【図２】
2014150480.tif 000004
【図３】
2014150480.tif 000005
【図４】
2014150480.tif 000006
【図５】
2014150480.tif 000007
【図６】
2014150480.tif 000008
【図７】
2014150480.tif 000009
【図８】
2014150480.tif 000010
【図９】
2014150480.tif 000011
【図１０】
2014150480.tif 000012
【図１１】
2014150480.tif 000013